【事件の表示】
　平成　４年特許願第１８５４９２号「複写機の操作部表示方法」拒絶査定に対する審判事件［平成　６年　２月１０日出願公開、特開平　６−　３５２８２］について、次のとおり審決する。
【結　論】
　本件審判の請求は、成り立たない。
【理　由】
１．手続の経緯・本願発明
　本願は、平成４年７月１３日の出願であって、その請求項１に係る発明は、平成１３年５月３０日付けおよび平成１３年９月１０日付け手続補正書によって補正された明細書および図面の記載からみて、その特許請求の範囲の請求項１に記載された次のとおりのものであり、以下「本願発明」という。
「【請求項１】
　複写機に操作部として設けたタッチパネルを兼ねる画面上に表示する複写機の操作部表示方法において、
　画面上に複数の給紙トレイの配置を含む複写機全体のイラストを表示し、そのイラスト上の各給紙トレイに、給紙トレイ内にある紙サイズ及び紙種類を表示し、選択された給紙トレイは表示が反転することを特徴とする複写機の操作部表示方法。」
　
２．引用刊行物記載の発明
　これに対して原査定の拒絶の理由に引用した引用文献１（特開昭５８−６６９６６号公報）および引用文献２（実願昭６１−１６５０９９号（実開昭６３−７３７５１号）のマイクロフィルム）には次のような技術的事項が図面とともに記載されている。
［引用文献１（特開昭５８−６６９６６号公報）］
ア）本発明は、静電記録装置に用いる操作表示装置に係り、更に詳しくは静電記録装置に付設又は具備した構成要素を選択し、その選択状態を表示する操作表示装置に関する。（第１頁左下欄第１７行〜同欄第２０行参照）
イ）第２図は、本発明による操作表示装置の一実施例の正面図を示したものである。図において、１０は複写機本体の絵図要素であって、之に構成要素絵図と選択釦を組合せた操作表示装置が集中して表示パネル２０上に配置されている。即ち、１１はＡＤＦ、１２はソータ、１３は変倍、１４は給紙選択、１５はオプション給紙選択の操作表示装置を示す。図示した第２図では、ＡＤＦ操作表示装置１１の選択釦を選択して、斜線は点灯表示されているところを示している。（第２頁左上欄第１２行〜右上欄第１行参照）
ウ）２１はキートップであって、プラスチック等の光拡散性材質からなり、例えばＡＤＦ１１等の構成要素絵図をなしている。キートップ２１は、表示パネル２０とある間隙をもって設けたプリント基板２２上の選択スイッチＳＷの操作釦を兼ねていて、・・・。またプリント基板２２上には豆ランプＬがあり、・・・豆ランプＬが点灯すると例えばＡＤＦ１１等の構成要素絵図をしたキートップ２１は背後から照光されて選択されていることを表示する。（第２頁右上欄第５行〜同欄第１７行参照）
　
［引用文献２（実願昭６１−１６５０９９号（実開昭６３−７３７５１号）のマイクロフィルム）］
エ）複写しようとする複写紙の大きさと収納されている用紙の大きさが相違する場合には表示装置により確認して用紙の切替が行われている。しかるに実際に使用される複写用紙としては普通紙の外に更紙や第２原図等がある。収納されている用紙は外部から確認できないので表示装置で頼るしかないが、現状では表示装置に表示されるのはサイズ例えばＡ４縦か、Ａ４横か、Ａ３か、等であって収納されている紙の質までは識別できない。（マイクロフィルム第２頁第３行〜１２行）
オ）第１図において複写機の表示パネル１には２個所の紙収納部についての表示を示す。例えば２個のカセットを装着可能な複写機の表示パネルを示す。表示パネル１の上側の半分には第１紙収納部、例えば第１カセットにつていの表示を、下半分には第２紙収納部、例えば第２カセットについての表示を示す。表示パネル１には２個所の収納部のどちらが現在選択されているかを示す用紙選択表示部２と収納部の用紙サイズを示す用紙サイズ表示部３と用紙の紙質を表示する用紙種類表示部４とが設けられている。上側用紙選択表示部２ａには・・・表示記号「１」が記入され表示ランプ５Ａが設けられ、下側用紙選択表示部２ｂには・・・表示記号「２」と表示ランプ５Ｂが設けられている。・・・上側用紙サイズ表示部３ａには用紙サイズ例えば「Ａ３」・・・「Ｂ６」を表示する表示ランプ６Ａと用紙の方向を表示する表示ランプ７Ａとが設けられる。（マイクロフィルム第３頁第４行〜第４頁第１１行）
カ）上側用紙種類表示部４ａには紙質を表示する表示装置ランプ８Ａが、下側用紙種類表示部４ｂにも同様に紙質を表示する表示ランプ８Ｂが設けてある。この表示ランプ８Ａにより、例えば「普通紙」、「更紙」、「第２原図」、「その他」の４種類の識別ができるように表示が行われる。（マイクロフィルム第４頁第１９行〜第５頁第４行）
　
３．対比
　本願発明を刊行物１記載の発明と対比すると、
ａ）刊行物１記載の発明の操作表示装置は、表示パネル２０上に複写機の操作部を表示する方法を実行するものであるから、複写機の操作部表示方法の発明であるということができ、また刊行物１記載の発明の「構成要素絵図と選択釦を組合せた操作表示装置が集中して配置された表示パネル２０」と本願発明の「操作部として設けたタッチパネルを兼ねる画面」とは「操作部を兼ねる画面」である点で共通し、
ｂ）刊行物１の第２図には、複写機本体の絵図要素が表されるとともに選択釦が配置されていて、その中の給紙選択１４の操作表示装置はＡ４とＢ４と表示された給紙トレイを表示しているとみることができるから、刊行物１記載の発明は、本願発明の「画面上に複数の給紙トレイの配置を含む複写機全体のイラストを表示し、そのイラスト上の各給紙トレイに、給紙トレイ内にある紙サイズを表示し」に相当する構成を具えているということができ、
ｃ）刊行物１記載の発明の選択された「給紙トレイが発光」と本願発明の「表示が反転」とは「表示が変化」する点で共通し、
　以上のことから、両者間には次のような一致点、相違点がある。
（一致点）
　複写機に操作部を兼ねる画面上に表示する複写機の操作部表示方法において、
　画面上に複数の給紙トレイの配置を含む複写機全体のイラストを表示し、そのイラスト上の各給紙トレイに、給紙トレイ内にある紙サイズを表示し、選択された給紙トレイは表示が変化する複写機の操作部表示方法。
（相違点）
（１）操作部を兼ねる画面が、本願発明ではタッチパネルを兼ねる画面であるのに対して、刊行物１記載の発明では構成要素絵図と操作釦からなる操作表示装置が集中して配置された表示パネルである点
（２）本願発明は給紙トレイに紙種類も表示されているのに対して、刊行物１記載の発明では紙種類は表示されていない点
（３）選択された給紙トレイの表示の変化が、本願発明では反転変化するものであるのに対して、刊行物１記載の発明では発光して変化するものである点
　
４．当審の判断
　相違点（１）についてはタッチパネルを兼ねる画面上に操作部を表示することは周知技術であり（必要ならば特開昭６１−２８２９１６号公報、実願平２−１４４０１号（実開平３−１０７７４５号）のマイクロフィルム参照）、複写機の操作部表示方法としてタッチパネルを兼ねる画面上に操作部を表示することは、当業者が容易に考えつくことができた構成の変更である。
　相違点（２）については、給紙トレイに収容されている紙のサイズに加えて紙質すなわち紙種類について表示する点は刊行物２に記載されており、刊行物２記載の発明も給紙トレイ内の紙に関する情報を表示する方法であって刊行物１記載の発明と共通する技術であることから両技術を組み合わせることに何等の阻害要因もなく、刊行物１記載の発明においてサイズに加えて紙種類も表示するように変更することは当業者が容易に考えつくことができた構成の変更である。
　相違点（３）については、画面上で表示を変化させることによって強調する表示方法として反転表示させることは周知技術であり（特開平４−８６９１０号公報第１５図、特開平３−１５９４６６号公報第２図参照）この点も当業者が容易に考えつくことができた構成の変更である。
　
５．むすび
　以上のことから、本願発明は刊行物１および刊行物２記載の発明ならびに周知技術に基づいて当業者が容易に発明をすることができたものであり、本願発明は特許法第２９条第２項の規定により特許を受けることができない。
　よって、結論のとおり審決する。